(57)【要約】【課題】エンジンの制御精度を向上する。【解決手段】第１調停部９１０２は、パワートレーンドライバモデル９０００およびＥＣＴトルク制御システム９０１０において定められる静的な要求エンジントルクの中からいずれか一つの要求エンジントルクを決定する。第１調停部９１０２により決定された要求エンジントルクは、変換部９１０４により動的な要求エンジントルクに変換される。第２調停部９１０６は、変換部９１０４により静的な要求エンジントルクから変換される動的な要求エンジントルク、ＶＤＩＭシステム９０２０により定められる動的な要求エンジントルク、および制振制御システム９０３０により定められる動的な要求エンジントルクの中からエンジンの制御に用いる要求エンジントルクを決定する。エンジン制御システムは、エンジンを、第２調停部９１０６により決定された要求エンジントルクに応じて制御する。【選択図】図５
2010096094.tif 000002
【特許請求の範囲】
【請求項１】
車両に搭載された駆動源の制御装置であって、
前記車両の駆動力に関する動的な要求値および静的な要求値のうちの一方の要求値を定める複数の第１の要求部と、
前記複数の第１の要求部において定められる要求値を集約し、前記複数の第１の要求部により定められる要求値の中からいずれか一つの要求値を決定するように前記複数の第１の要求部により定められる要求値を調停する第１の調停部と、
前記第１の調停部により決定された要求値を、前記動的な要求値および前記静的な要求値のうちの他方の要求値に変換する変換部と、
前記動的な要求値および前記静的な要求値のうちの前記他方の要求値を定める第２の要求部と、
前記変換部により変換される要求値および前記第２の要求部により定められる要求値を集約し、前記変換部により変換される要求値および前記第２の要求部により定められる要求値の中から前記駆動源の制御に用いる要求値を決定するように、前記変換部により変換される要求値および前記第２の要求部により定められる要求値を調停する第２の調停部と、
前記駆動源を前記第２の調停部により決定された要求値に応じて制御する制御部とを備える、駆動源の制御装置。
【請求項２】
前記変換部の数は、一つである、請求項１に記載の駆動源の制御装置。
【請求項３】
前記制御部は、前記第２の調停部により決定された要求値を、前記動的な要求値および前記静的な要求値の対応関係を規定したモデルを用いて前記動的な要求値および前記静的な要求値のうちの前記一方の要求値に変換し、前記駆動源を前記一方の要求値に変換された要求値に応じて制御し、
前記変換部は、前記モデルを逆に用いて、前記第１の調停部により決定された要求値を、前記動的な要求値および前記静的な要求値のうちの前記他方の要求値に変換する、請求項１または２に記載の駆動源の制御装置。
【請求項４】
前記第２の要求部は、複数設けられ、
前記第２の調停部は、前記変換部により変換される要求値および前記複数の第２の要求部により定められる要求値を集約し、前記変換部により変換される要求値および前記複数の第２の要求部により定められる要求値の中から前記駆動源の制御に用いる要求値を決定するように、前記変換部により変換される要求値および前記複数の第２の要求部により定められる要求値を調停する、請求項１〜３のいずれかに記載の駆動源の制御装置。
【請求項５】
前記動的な要求値および前記静的な要求値のうちの前記一方の要求値は静的な要求値であり、
前記動的な要求値および前記静的な要求値のうちの前記他方の要求値は動的な要求値である、請求項１〜４のいずれかに記載の駆動源の制御装置。
【請求項６】
前記要求値は、前記駆動源の出力トルクであり、
前記制御部は、前記駆動源の出力トルクが前記前記第２の調停部によって決定された出力トルクになるように制御する、請求項１〜５のいずれかに記載の駆動源の制御装置。
【請求項７】
前記要求値は、前記車両の駆動力であり、
前記制御部は、前記車両の駆動力が前記前記第２の調停部によって決定された駆動力になるように前記駆動源を制御する、請求項１〜５のいずれかに記載の駆動源の制御装置。
【請求項８】
前記要求値は、前記車両の加速度であり、
前記制御部は、前記車両の加速度が前記前記第２の調停部によって決定された加速度になるように前記駆動源を制御する、請求項１〜５のいずれかに記載の駆動源の制御装置。
【発明の詳細な説明】
【技術分野】
【０００１】
本発明は、駆動源の制御装置に関し、特に、車両の駆動力に関する動的な要求値および静的な要求値を定め、定められた要求値を調停することにより得られる要求値に応じて駆動源を制御する技術に関する。
【背景技術】
【０００２】
従来より、スロットルバルブの開度（以下、スロットル開度とも記載する）などにより、出力トルクの値などが定まるエンジンが知られている。一般的に、スロットル開度は、アクセルペダルの位置（以下、アクセル開度とも記載する）と一義的に対応するように作動する。しかしながら、スロットル開度とアクセル開度とが常に一義的に対応していると、たとえば車両の挙動が乱れた場合などにおいて、車両の駆動力などを運転者の意思と関係なく制御することが困難である。そこで、アクセル開度に依存せずに出力トルクなどを制御することが可能であるように、アクチュエータにより作動する電子スロットルバルブがエンジンに設けられた車両がある。電子スロットルバルブが設けられた車両においては、アクセル開度の他、車両の挙動などに基づいて要求エンジントルクを設定し、実際のエンジントルクが設定された要求エンジントルクになるようにエンジンを制御することが可能である。
【０００３】
特開２００６−２９０２３５号公報（特許文献１）は、ドライバモデルとパワトレマネージャとを含み、ドライバモデルに含まれる目標過渡特性付加演算部において車両のハードウエア特性以外の人間の感性に関するチューニングを行ない、パワトレマネージャに含まれる特性補償器において人間の感性以外の車両のハードウエア特性に関するチューニングを行なうようにして、人間の感性と車両のハードウエア特性とを区別している駆動力制御装置を開示する。ドライバモデルは、目標ベース駆動力算出部（静特性）において、たとえば、アクセル開度をパラメータとして、車速により目標駆動力が決定されるマップに基づいて目標駆動力を算出し、目標過渡特性付加演算部において、目標駆動力に過渡特性を与えて最終目標駆動力を算出する。パワトレマネージャは、目標エンジントルク＆ＡＴギヤ段演算部から出力された目標エンジントルクに基づいて、特性補償器で要求エンジントルクを算出する。特性補償器においては、車両に発生する加速度である車両Ｇの応答性であって、車両のハードウエア特性に依存する部分が補償される。
【特許文献１】特開２００６−２９０２３５号公報
【発明の開示】
【発明が解決しようとする課題】
【０００４】
ところで、最終的な要求エンジントルクを設定する際には、エンジンの過渡特性などを考慮した動的な要求エンジントルクの他、たとえば自動変速機の変速時におけるトルクダウンもしくはトルクアップなどを実現する静的な要求エンジントルクを考慮する必要がある。動的な要求エンジントルクはエンジンの過渡状態におけるエンジントルクを示す。一方、静的な要求エンジントルクはエンジンの定常状態におけるエンジントルクを示す。したがって、動的な要求エンジントルクと静的な要求エンジントルクとを単純に比較することができない。しかしながら、特開２００６−２９０２３５号公報は、動的な要求エンジントルクと静的な要求エンジントルクとからどのようにして最終的な要求エンジントルクを設定するかについての記載は何等ない。そのため、動的な要求エンジントルクと静的な要求エンジントルクとの両方を考慮して最終的な要求エンジントルクを設定することができなかった。したがって、駆動源であるエンジンの制御精度を向上するためにはさらなる改善の余地があった。
【０００５】
本発明は、上述の課題を解決するためになされたものであって、その目的は、駆動源の制御精度を向上することができる駆動源の制御装置を提供することである。
【課題を解決するための手段】
【０００６】
第１の発明に係る駆動源の制御装置は、車両に搭載された駆動源の制御装置である。この制御装置は、車両の駆動力に関する動的な要求値および静的な要求値のうちの一方の要求値を定める複数の第１の要求部と、複数の第１の要求部において定められる要求値を集約し、複数の第１の要求部により定められる要求値の中からいずれか一つの要求値を決定するように複数の第１の要求部により定められる要求値を調停する第１の調停部と、第１の調停部により決定された要求値を、動的な要求値および静的な要求値のうちの他方の要求値に変換する変換部と、動的な要求値および静的な要求値のうちの他方の要求値を定める第２の要求部と、変換部により変換される要求値および第２の要求部により定められる要求値を集約し、変換部により変換される要求値および第２の要求部により定められる要求値の中から駆動源の制御に用いる要求値を決定するように、変換部により変換される要求値および第２の要求部により定められる要求値を調停する第２の調停部と、駆動源を第２の調停部により決定された要求値に応じて制御する制御部とを備える。
【０００７】
この構成によると、車両の駆動力に関する動的な要求値および静的な要求値のうちの一方の要求値が複数の第１の要求部において定められ、他方の要求値が第２の要求部において定められる。複数の第１の要求部において定められる要求値は、第１の調停部に集約される。第１の調停部は、複数の第１の要求部により定められる要求値の中からいずれか一つの要求値を決定するように複数の第１の要求部により定められる要求値を調停する。第１の調停部により決定された要求値は、動的な要求値および静的な要求値のうちの他方の要求値に変換される。これにより、特性が異なる複数の要求値を一元化することができる。変換された要求値は、第２の要求部により定められる要求値とともに、第２の調停部に集約される。第２の調停部は、変換部により変換される要求値および第２の要求部により定められる要求値の中から駆動源の制御に用いる要求値を決定するように、変換部により変換される要求値および第２の要求部により定められる要求値を調停する。これにより、動的な要求値および静的な要求値の両方を考慮することによって、より好適な要求値を得ることができる。制御部は、駆動源を第２の調停部により決定された要求値に応じて制御する。そのため、駆動源の制御精度を向上することができる。その結果、駆動源の制御精度を向上することができる駆動源の制御装置を提供することができる。
【０００８】
第２の発明に係る駆動源の制御装置においては、第１の発明の構成に加え、変換部の数は、一つである。
【０００９】
この構成によると、車両の駆動力に関する動的な要求値および静的な要求値のうちの一方の要求値を他方の要求に変換する変換部は、一つだけ設けられる。すなわち、要求値が一つだけ変換される。これにより、変換される要求値の数を削減することができる。そのため、変換部における処理の負荷を増大させずに、要求値の変換をきめ細かく行なうことができる。その結果、最終的に得られる要求値の精度を向上することができる。
【００１０】
第３の発明に係る駆動源の制御装置においては、第１または２の発明の構成に加え、制御部は、第２の調停部により決定された要求値を、動的な要求値および静的な要求値の対応関係を規定したモデルを用いて動的な要求値および静的な要求値のうちの一方の要求値に変換し、駆動源を一方の要求値に変換された要求値に応じて制御する。変換部は、モデルを逆に用いて、第１の調停部により決定された要求値を、動的な要求値および静的な要求値のうちの他方の要求値に変換する。
【００１１】
この構成によると、第２の調停部により決定された要求値は、動的な要求値および静的な要求値の対応関係を規定したモデルを用いて動的な要求値および静的な要求値のうちの一方の要求値に変換されてから、駆動源の制御に用いられる。第１の調停部により決定された要求値は、駆動源を制御する制御部において用いられるモデルの逆モデルを用いて、動的な要求値および静的な要求値のうちの他方の要求値に変換される。これにより、動的な要求値と静的な要求値とを、同じ対応関係に基づいて、双方向に変換することができる。そのため、変換部において一旦変換された要求値が、第２の調停部における調停の結果、駆動源の制御に用いられる要求値として決定された場合には、駆動部において、元の要求値に精度よく戻すことができる。そのため、駆動源の制御精度をより向上することができる。
【００１２】
第４の発明に係る駆動源の制御装置においては、第１〜３のいずれかの発明の構成に加え、第２の要求部は、複数設けられる。第２の調停部は、変換部により変換される要求値および複数の第２の要求部により定められる要求値を集約し、変換部により変換される要求値および複数の第２の要求部により定められる要求値の中から駆動源の制御に用いる要求値を決定するように、変換部により変換される要求値および複数の第２の要求部により定められる要求値を調停する。
【００１３】
この構成によると、複数の第２の要求部からの要求を考慮して、最終的に用いられる要求値が決定される。これにより、車両の挙動をより多方面において制御することができる。
【００１４】
第５の発明に係る駆動源の制御装置においては、第１〜４のいずれかの発明の構成に加え、動的な要求値および静的な要求値のうちの一方の要求値は静的な要求値である。動的な要求値および静的な要求値のうちの他方の要求値は動的な要求値である。
【００１５】
この構成によると、静的な要求値は、動的な要求値に変換される。これにより、静的な要求値を定める複数の第１の要求部と、動的な要求値を定める第２の要求部とが混在する制御装置において、全ての要求値を動的な要求値として取扱うことができる。そのため、静的な要求値であっても、動的な要求値と比較することにより、動的な要求値および静的な要求値の両方を考慮した要求値を得ることができる。その結果、より好適な要求値を用いて、駆動源の制御精度を向上することができる。
【００１６】
第６の発明に係る駆動源の制御装置においては、第１〜５のいずれかの発明の構成に加え、要求値は、駆動源の出力トルクである。制御部は、駆動源の出力トルクが第２の調停部によって決定された出力トルクになるように制御する。
【００１７】
この構成によると、駆動源の出力トルクが第２の調停部によって決定された出力トルクになるように制御される。これにより、駆動源の出力トルクに対する要求を精度よく実現することができる。
【００１８】
第７の発明に係る駆動源の制御装置においては、第１〜５のいずれかの発明の構成に加え、要求値は、車両の駆動力である。制御部は、車両の駆動力が第２の調停部によって決定された駆動力になるように駆動源を制御する。
【００１９】
この構成によると、車両の駆動力が第２の調停部によって決定された駆動力になるように駆動源が制御される。これにより、車両の駆動力に対する要求を精度よく実現することができる。
【００２０】
第８の発明に係る駆動源の制御装置においては、第１〜５のいずれかの発明の構成に加え、要求値は、車両の加速度である。制御部は、車両の加速度が第２の調停部によって決定された加速度になるように駆動源を制御する。
【００２１】
この構成によると、車両の加速度が第２の調停部によって決定された加速度になるように駆動源が制御される。これにより、車両の加速度に対する要求を精度よく実現することができる。
【発明を実施するための最良の形態】
【００２２】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２３】
図１を参照して、本発明の実施の形態に係る制御装置を搭載した車両について説明する。この車両は、ＦＲ（Front engine Rear drive）車両である。なお、ＦＲ以外の車両であってもよい。
【００２４】
車両は、エンジン１０００と、オートマチックトランスミッション２０００と、トルクコンバータ２１００と、オートマチックトランスミッション２０００の一部を構成するプラネタリギヤユニット３０００と、オートマチックトランスミッション２０００の一部を構成する油圧回路４０００と、プロペラシャフト５０００と、デファレンシャルギヤ６０００と、後輪７０００と、ＥＣＵ（Electronic Control Unit）８０００とを含む。
【００２５】
エンジン１０００は、インジェクタ（図示せず）から噴射された燃料と空気との混合気を、シリンダの燃焼室内で燃焼させる内燃機関である。燃焼によりシリンダ内のピストンが押し下げられて、クランクシャフトが回転させられる。エンジン１０００により、オルタネータおよびエアコンディショナーなどの補機１００４が駆動される。エンジン１０００の出力トルク（エンジントルクＴＥ）は、電子スロットルバルブ８０１６の作動量、すなわちスロットル開度などに応じて変化する。なお、エンジン１０００の代わりにもしくは加えて、駆動源にモータを用いるようにしてもよい。また、ディーゼルエンジンを用いるようにしてもよい。ディーゼルエンジンにおいては、インジェクタの開弁時間（作動量）、すなわち燃料噴射量に応じて出力トルクが変化する。
【００２６】
オートマチックトランスミッション２０００は、トルクコンバータ２１００を介してエンジン１０００に連結される。オートマチックトランスミッション２０００は、所望のギヤ段を形成することにより、クランクシャフトの回転数を所望の回転数に変速する。なお、ギヤ段を形成するオートマチックトランスミッションの代わりに、ギヤ比を無段階に変更するＣＶＴ（Continuously Variable Transmission）を搭載するようにしてもよい。さらに、油圧アクチュエータもしくは電動モータにより変速される常時噛合式歯車からなる自動変速機を搭載するようにしてもよい。
【００２７】
オートマチックトランスミッション２０００から出力された駆動力は、プロペラシャフト５０００およびデファレンシャルギヤ６０００を介して、左右の後輪７０００に伝達される。
【００２８】
ＥＣＵ８０００には、シフトレバー８００４のポジションスイッチ８００６と、アクセルペダル８００８のアクセル開度センサ８０１０と、エアフローメータ８０１２と、電子スロットルバルブ８０１６のスロットル開度センサ８０１８と、エンジン回転数センサ８０２０と、入力軸回転数センサ８０２２と、出力軸回転数センサ８０２４と、油温センサ８０２６と、水温センサ８０２８とがハーネスなどを介して接続されている。
【００２９】
シフトレバー８００４の位置（ポジション）は、ポジションスイッチ８００６により検出され、検出結果を表す信号がＥＣＵ８０００に送信される。シフトレバー８００４の位置に対応して、オートマチックトランスミッション２０００のギヤ段が自動で形成される。また、運転者の操作に応じて、運転者が任意のギヤ段を選択できるマニュアルシフトモードを選択できるように構成してもよい。
【００３０】
アクセル開度センサ８０１０は、アクセルペダル８００８の開度を検出し、検出結果を表す信号をＥＣＵ８０００に送信する。エアフローメータ８０１２は、エンジン１０００に吸入される空気量を検出し、検出結果を表す信号をＥＣＵ８０００に送信する。
【００３１】
スロットル開度センサ８０１８は、アクチュエータにより開度が調整される電子スロットルバルブ８０１６の開度を検出し、検出結果を表す信号をＥＣＵ８０００に送信する。電子スロットルバルブ８０１６により、エンジン１０００に吸入される空気量が調整される。
【００３２】
なお、電子スロットルバルブ８０１６の代わりにもしくは加えて、吸気バルブ（図示せず）や排気バルブ（図示せず）のリフト量や開閉する位相を変更する可変バルブリフトシステムにより、エンジン１０００に吸入される空気量を調整するようにしてもよい。
【００３３】
エンジン回転数センサ８０２０は、エンジン１０００の出力軸（クランクシャフト）の回転数（以下、エンジン回転数ＮＥとも記載する）を検出し、検出結果を表す信号をＥＣＵ８０００に送信する。入力軸回転数センサ８０２２は、オートマチックトランスミッション２０００の入力軸回転数ＮＩ（トルクコンバータ２１００のタービン回転数ＮＴ）を検出し、検出結果を表す信号をＥＣＵ８０００に送信する。出力軸回転数センサ８０２４は、オートマチックトランスミッション２０００の出力軸回転数ＮＯを検出し、検出結果を表す信号をＥＣＵ８０００に送信する。
【００３４】
油温センサ８０２６は、オートマチックトランスミッション２０００の作動や潤滑に用いられるオイル（ＡＴＦ：Automatic Transmission Fluid）の温度（油温）を検出し、検出結果を表す信号をＥＣＵ８０００に送信する。
【００３５】
水温センサ８０２８は、エンジン１０００の冷却水の温度（水温）を検出し、検出結果を表わす信号をＥＣＵ８０００に送信する。
【００３６】
ＥＣＵ８０００は、ポジションスイッチ８００６、アクセル開度センサ８０１０、エアフローメータ８０１２、スロットル開度センサ８０１８、エンジン回転数センサ８０２０、入力軸回転数センサ８０２２、出力軸回転数センサ８０２４、油温センサ８０２６、水温センサ８０２８などから送られてきた信号、ＲＯＭ（Read Only Memory）８００２に記憶されたマップおよびプログラムに基づいて、車両が所望の走行状態となるように、機器類を制御する。なおＥＣＵ８０００により実行されるプログラムをＣＤ（Compact Disc）、ＤＶＤ（Digital Versatile Disc）などの記録媒体に記録して市場に流通させてもよい。
【００３７】
本実施の形態において、ＥＣＵ８０００は、シフトレバー８００４がＤ（ドライブ）ポジションであることにより、オートマチックトランスミッション２０００のシフトレンジにＤ（ドライブ）レンジが選択された場合、前進１速〜８速ギヤ段のうちのいずれかのギヤ段が形成されるように、オートマチックトランスミッション２０００を制御する。前進１速〜８速ギヤ段のうちのいずれかのギヤ段が形成されることにより、オートマチックトランスミッション２０００は後輪７０００に駆動力を伝達し得る。なおＤレンジにおいて、８速ギヤ段よりも高速のギヤ段を形成可能であるようにしてもよい。形成するギヤ段は、車速とアクセル開度とをパラメータとして実験等により予め作成された変速線図に基づいて決定される。なお、ＥＣＵは複数のＥＣＵに分割するようにしてもよい。
【００３８】
図２を参照して、プラネタリギヤユニット３０００について説明する。プラネタリギヤユニット３０００は、クランクシャフトに連結された入力軸２１０２を有するトルクコンバータ２１００に接続されている。
【００３９】
プラネタリギヤユニット３０００は、フロントプラネタリ３１００と、リアプラネタリ３２００と、Ｃ１クラッチ３３０１と、Ｃ２クラッチ３３０２と、Ｃ３クラッチ３３０３と、Ｃ４クラッチ３３０４と、Ｂ１ブレーキ３３１１と、Ｂ２ブレーキ３３１２と、ワンウェイクラッチ（Ｆ）３３２０とを含む。
【００４０】
フロントプラネタリ３１００は、ダブルピニオン型の遊星歯車機構である。フロントプラネタリ３１００は、第１サンギヤ（Ｓ１）３１０２と、１対の第１ピニオンギヤ（Ｐ１）３１０４と、キャリア（ＣＡ）３１０６と、リングギヤ（Ｒ）３１０８とを含む。
【００４１】
第１ピニオンギヤ（Ｐ１）３１０４は、第１サンギヤ（Ｓ１）３１０２および第１リングギヤ（Ｒ）３１０８と噛合っている。第１キャリア（ＣＡ）３１０６は、第１ピニオンギヤ（Ｐ１）３１０４が公転および自転可能であるように支持している。
【００４２】
第１サンギヤ（Ｓ１）３１０２は、回転不能であるようにギヤケース３４００に固定される。第１キャリア（ＣＡ）３１０６は、プラネタリギヤユニット３０００の入力軸３００２に連結される。
【００４３】
リアプラネタリ３２００は、ラビニヨ型の遊星歯車機構である。リアプラネタリ３２００は、第２サンギヤ（Ｓ２）３２０２と、第２ピニオンギヤ（Ｐ２）３２０４と、リアキャリア（ＲＣＡ）３２０６と、リアリングギヤ（ＲＲ）３２０８と、第３サンギヤ（Ｓ３）３２１０と、第３ピニオンギヤ（Ｐ３）３２１２とを含む。
【００４４】
第２ピニオンギヤ（Ｐ２）３２０４は、第２サンギヤ（Ｓ２）３２０２、リアリングギヤ（ＲＲ）３２０８および第３ピニオンギヤ（Ｐ３）３２１２と噛合っている。第３ピニオンギヤ（Ｐ３）３２１２は、第２ピニオンギヤ（Ｐ２）３２０４に加えて、第３サンギヤ（Ｓ３）３２１０と噛合っている。
【００４５】
リアキャリア（ＲＣＡ）３２０６は、第２ピニオンギヤ（Ｐ２）３２０４および第３ピニオンギヤ（Ｐ３）３２１２が公転および自転可能であるように支持している。リアキャリア（ＲＣＡ）３２０６は、ワンウェイクラッチ（Ｆ）３３２０に連結される。リアキャリア（ＲＣＡ）３２０６は、１速ギヤ段の駆動時（エンジン１０００から出力された駆動力を用いた走行時）に回転不能となる。リアリングギヤ（ＲＲ）３２０８は、プラネタリギヤユニット３０００の出力軸３００４に連結される。
【００４６】
ワンウェイクラッチ（Ｆ）３３２０は、Ｂ２ブレーキ３３１２と並列に設けられる。すなわち、ワンウェイクラッチ（Ｆ）３３２０のアウターレースはギヤケース３４００に固定され、インナーレースはリアキャリア（ＲＣＡ）３２０６に連結される。
【００４７】
図３に、各変速ギヤ段と、各クラッチおよび各ブレーキの作動状態との関係を表した作動表を示す。この作動表に示された組み合わせで各ブレーキおよび各クラッチを作動させることにより、前進１速〜８速のギヤ段と、後進１速および２速のギヤ段が形成される。
【００４８】
図４を参照して、油圧回路４０００の要部について説明する。なお、油圧回路４０００は、以下に説明するものに限られない。
【００４９】
油圧回路４０００は、オイルポンプ４００４と、プライマリレギュレータバルブ４００６と、マニュアルバルブ４１００と、ソレノイドモジュレータバルブ４２００と、ＳＬ１リニアソレノイド（以下、ＳＬ（１）と記載する）４２１０と、ＳＬ２リニアソレノイド（以下、ＳＬ（２）と記載する）４２２０と、ＳＬ３リニアソレノイド（以下、ＳＬ（３）と記載する）４２３０と、ＳＬ４リニアソレノイド（以下、ＳＬ（４）と記載する）４２４０と、ＳＬ５リニアソレノイド（以下、ＳＬ（５）と記載する）４２５０と、ＳＬＴリニアソレノイド（以下、ＳＬＴと記載する）４３００と、Ｂ２コントロールバルブ４５００とを含む。
【００５０】
オイルポンプ４００４は、エンジン１０００のクランクシャフトに連結されている。クランクシャフトが回転することにより、オイルポンプ４００４が駆動し、油圧を発生する。オイルポンプ４００４で発生した油圧は、プライマリレギュレータバルブ４００６により調圧され、ライン圧が生成される。
【００５１】
プライマリレギュレータバルブ４００６は、ＳＬＴ４３００により調圧されたスロットル圧をパイロット圧として作動する。ライン圧は、ライン圧油路４０１０を介してマニュアルバルブ４１００に供給される。
【００５２】
マニュアルバルブ４１００は、ドレンポート４１０５を含む。ドレンポート４１０５から、Ｄレンジ圧油路４１０２およびＲレンジ圧油路４１０４の油圧が排出される。マニュアルバルブ４１００のスプールがＤポジションにある場合、ライン圧油路４０１０とＤレンジ圧油路４１０２とが連通させられ、Ｄレンジ圧油路４１０２に油圧が供給される。このとき、Ｒレンジ圧油路４１０４とドレンポート４１０５とが連通させられ、Ｒレンジ圧油路４１０４のＲレンジ圧がドレンポート４１０５から排出される。
【００５３】
マニュアルバルブ４１００のスプールがＲポジションにある場合、ライン圧油路４０１０とＲレンジ圧油路４１０４とが連通させられ、Ｒレンジ圧油路４１０４に油圧が供給される。このとき、Ｄレンジ圧油路４１０２とドレンポート４１０５とが連通させられ、Ｄレンジ圧油路４１０２のＤレンジ圧がドレンポート４１０５から排出される。
【００５４】
マニュアルバルブ４１００のスプールがＮポジションにある場合、Ｄレンジ圧油路４１０２およびＲレンジ圧油路４１０４の両方と、ドレンポート４１０５とが連通させられ、Ｄレンジ圧油路４１０２のＤレンジ圧およびＲレンジ圧油路４１０４のＲレンジ圧がドレンポート４１０５から排出される。
【００５５】
Ｄレンジ圧油路４１０２に供給された油圧は、最終的には、Ｃ１クラッチ３３０１、Ｃ２クラッチ３３０２およびＣ３クラッチ３３０３に供給される。Ｒレンジ圧油路４１０４に供給された油圧は、最終的には、Ｂ２ブレーキ３３１２に供給される。
【００５６】
ソレノイドモジュレータバルブ４２００は、ライン圧を元圧とし、ＳＬＴ４３００に供給する油圧（ソレノイドモジュレータ圧）を一定の圧力に調圧する。
【００５７】
ＳＬ（１）４２１０は、Ｃ１クラッチ３３０１に供給される油圧を調圧する。ＳＬ（２）４２２０は、Ｃ２クラッチ３３０２に供給される油圧を調圧する。ＳＬ（３）４２３０は、Ｃ３クラッチ３３０３に供給される油圧を調圧する。ＳＬ（４）４２４０は、Ｃ４クラッチ３３０４に供給される油圧を調圧する。ＳＬ（５）４２５０は、Ｂ１ブレーキ３３１１に供給される油圧を調圧する。
【００５８】
ＳＬＴ４３００は、アクセル開度センサ８０１０により検出されたアクセル開度に基づいたＥＣＵ８０００からの制御信号に応じて、ソレノイドモジュレータ圧を調圧し、スロットル圧を生成する。スロットル圧は、ＳＬＴ油路４３０２を介して、プライマリレギュレータバルブ４００６に供給される。スロットル圧は、プライマリレギュレータバルブ４００６のパイロット圧として利用される。
【００５９】
ＳＬ（１）４２１０、ＳＬ（２）４２２０、ＳＬ（３）４２３０、ＳＬ（４）４２４０、ＳＬ（５）４２５０およびＳＬＴ４３００は、ＥＣＵ８０００から送信される制御信号により制御される。
【００６０】
Ｂ２コントロールバルブ４５００は、Ｄレンジ圧油路４１０２およびＲレンジ圧油路４１０４のいずれか一方からの油圧を選択的に、Ｂ２ブレーキ３３１２に供給する。Ｂ２コントロールバルブ４５００に、Ｄレンジ圧油路４１０２およびＲレンジ圧油路４１０４が接続されている。Ｂ２コントロールバルブ４５００は、ＳＬＵソレノイドバルブ（図示せず）から供給された油圧とスプリングの付勢力とにより制御される。
【００６１】
ＳＬＵソレノイドバルブがオンの場合、Ｂ２コントロールバルブ４５００は、図４において左側の状態となる。この場合、Ｂ２ブレーキ３３１２には、ＳＬＵソレノイドバルブから供給された油圧をパイロット圧として、Ｄレンジ圧を調圧した油圧が供給される。
【００６２】
ＳＬＵソレノイドバルブがオフの場合、Ｂ２コントロールバルブ４５００は、図４において右側の状態となる。この場合、Ｂ２ブレーキ３３１２には、Ｒレンジ圧が供給される。
【００６３】
図５を参照して、本実施の形態に係る制御装置のシステム構成について説明する。なお、以下に説明する各構成の機能は、ハードウエアにより実現するようにしてもよく、ソフトウエアにより実現するようにしてもよい。
【００６４】
図５に示すように、制御装置は、パワートレーンドライバモデル（PDRM: Power train Driver Model）９０００と、ＥＣＴ(Electronic controlled Transmission)トルク制御システム９０１０と、ＶＤＩＭ(Vehicle Dynamics Integrated Management)システム９０２０と、制振制御システム９０３０と、パワートレーンマネージャ（PTM: Power Train Manager）９１００と、エンジン制御システム９２００とを備える。
【００６５】
パワートレーンドライバモデル９０００は、ドライバの操作に基づいて、エンジン１０００に対するドライバの要求エンジントルク（エンジン１０００の出力トルクの要求値）を設定するために用いられるモデル（関数）である。なお、要求エンジントルクは、目標エンジントルクともいえる。
【００６６】
エンジントルクにオートマチックトランスミッション２０００の現在のギヤ比およびデファレンシャルギヤ６０００のギヤ比を乗じ、後輪７０００の半径で除算することにより、エンジントルクは駆動力に変換される。したがって、要求エンジントルクは車両の駆動力に関する要求値である。
【００６７】
本実施の形態においては、実験およびシミュレーションの結果などに基づいて予め定められたエンジントルクマップに従って、アクセル開度ならびに車速などから要求エンジントルクが設定される。
【００６８】
より具体的には、エンジン１０００に対する静的な要求エンジントルクがアクセル開度ならびに車速などから設定される。静的な要求エンジントルクとは、エンジン１０００の出力トルクが安定した状態における要求エンジントルクを意味する。静的な要求エンジントルクは、図６に示すように、スロットルバルブ８０１６などの機器の応答性、制御時の遅れなど、時間的な影響を考慮せずに定められる。
【００６９】
図５に戻って、ＥＣＴトルク制御システム９０１０は、オートマチックトランスミッション２０００の変速時にエンジン１０００に対して要求する静的な要求エンジントルクを設定する。ＥＣＴトルク制御システム９０１０が設定する静的な要求エンジントルクは、たとえば、変速ショックを低減するためのトルクダウンもしくはトルクアップを実現し得るように設定される。
【００７０】
図７に示すように、アップシフトする際、トルク相中において、エンジン１０００に対するドライバの要求エンジントルクよりもエンジントルクが大きくなるようにトルクアップが行なわれ、イナーシャ相中において、エンジン１０００に対するドライバの要求エンジントルクよりもエンジントルクが小さくなるようにトルクダウンが行なわれる。
【００７１】
図５に戻って、ＶＤＩＭシステム９０２０は、車両の挙動を安定させるためにエンジン１０００に対して要求する動的な要求エンジントルクを設定する。動的な要求エンジントルクとは、エンジン１０００の出力トルクが変化し得る過渡状態における要求エンジントルクを意味する。動的な要求エンジントルクは、電子スロットルバルブ８０１６などの機器の応答性、制御時の遅れなどの時間的な影響を考慮して定められる。
【００７２】
ＶＤＩＭシステム９０２０は、ＶＳＣ(Vehicle Stability Control)、ＴＲＣ(TRaction Control)、ＡＢＳ(Anti lock Brake System)、ＥＰＳ(Electric Power Steering)などを統合するシステムであって、アクセル、ステアリング、ブレーキの操作量によるドライバの走行イメージと、各種センサ情報による車両挙動との差を算出し、その差を縮めるように車両の駆動力、ブレーキ油圧などを制御する。
【００７３】
ＶＳＣは、前後輪が横滑りしそうな状態をセンサが検出した場合において、各輪のブレーキ油圧および車両の動的な要求エンジントルクなどの最適値を自動的に設定し、車両の安定性を確保する制御である。
【００７４】
ＴＲＣは、滑りやすい路面での発進時および加速時に、駆動輪の空転をセンサが感知すると、各輪のブレーキ油圧および車両の動的な要求エンジントルクなどの最適値を自動的に設定し、最適な駆動力を確保する制御である。
【００７５】
ＡＢＳは、ブレーキ油圧の最適値を自動的に設定し、車輪のロックを防止する制御システムである。ＥＰＳは、電動モータの力によってステアリングホイールの操舵をアシストする制御システムである。
【００７６】
制振制御システム９０３０は、車両の実際の駆動力などから、車両モデルを用いて算出される車両のピッチングおよびバウンシングを抑制するための動的な要求エンジントルクを設定する。車両のピッチングおよびバウンシングを抑制するためのエンジントルクを設定する方法については、従来の技術を利用すればよいため、ここではその詳細な説明は繰り返さない。
【００７７】
パワートレーンマネージャ９１００は、パワートレーンドライバモデル９０００、ＥＣＴトルク制御システム９０１０から入力される静的な要求エンジントルクおよびＶＤＩＭシステム９０２０、制振制御システム９０３０から入力される動的な要求エンジントルクに基づいて、最終的にエンジン１０００の制御に用いられる動的な要求エンジントルクを決定する。
【００７８】
パワートレーンマネージャ９１００により決定された動的な要求エンジントルクは、エンジン制御システム９２００に入力される。
【００７９】
エンジン制御システム９２００は、パワートレーンマネージャ９１００から入力された動的な要求エンジントルクを実現するように、電子スロットルバルブ８０１６、点火時期、ＥＧＲ（Exhaust Gas Recirculation）バルブなど、エンジン１０００の出力トルクを制御するためにエンジン１０００に設けられた機器を制御する。
【００８０】
すなわち、エンジン制御システム９２００は、エンジン１０００をパワートレーンマネージャ９１００により決定された動的な要求エンジントルクに応じて制御する。エンジン制御システム９２００は、エンジントルクがパワートレーンマネージャ９１００により決定された動的な要求エンジントルクになるように制御する。
【００８１】
より具体的には、エンジン制御システム９２００は、エンジン１０００の過渡特性を実現するために、すなわち動的な要求エンジントルクを実現するために、図８に示すように、動的な要求エンジントルクおよび静的な要求エンジントルクの対応関係を規定したエンジンモデルＣ（ｓ）を用いて、パワートレーンマネージャ９１００により決定された動的な要求エンジントルクを静的な要求エンジントルクに変換する。エンジン制御システム９２００は、動的な要求エンジントルクから変換された静的な要求エンジントルクに応じて、エンジン１０００を制御する。
【００８２】
なお、図９に示すように、エンジンモデルＣ（ｓ）を用いて電子スロットルバルブ８０１６などの機器の制御時における遅れを動的な要求エンジントルクから除き、電子スロットルバルブ８０１６などの機器の作動量の限界値に応じて定まる制限値で動的な要求エンジントルクを制限することにより、動的な要求エンジントルクを静的な要求エンジントルクに変換するようにしてもよい。
【００８３】
エンジンモデルＣ（ｓ）は、たとえば関数として定められる。また、エンジンモデルＣ（ｓ）は、エンジン１０００の開発段階においてシミュレーションおよび実験などの結果に基づいて定められる。エンジンモデルＣ（ｓ）を定める方法はこれらに限らない。
【００８４】
図５に戻って、エンジン１０００の制御に用いられる動的な要求エンジントルクは、パワートレーンマネージャ９１００において、パワートレーンドライバモデル９０００、ＥＣＴトルク制御システム９０１０から入力される静的な要求エンジントルクおよびＶＤＩＭシステム９０２０、制振制御システム９０３０から入力される動的な要求エンジントルクを調停することにより決定される。
【００８５】
静的な要求エンジントルクならびに動的な要求エンジントルクを調停するために、パワートレーンマネージャ９１００は、第１調停部９１０２、変換部９１０４および第２調停部９１０６を含む。
【００８６】
パワートレーンマネージャ９１００の第１調停部９１０２は、パワートレーンドライバモデル９０００およびＥＣＴトルク制御システム９０１０において定められる静的な要求エンジントルクを集約する。さらに、第１調停部９１０２は、パワートレーンドライバモデル９０００およびＥＣＴトルク制御システム９０１０において定められる静的な要求エンジントルクの中からいずれか一つの要求エンジントルクを決定（選択）するように、パワートレーンドライバモデル９０００およびＥＣＴトルク制御システム９０１０において定められる静的な要求エンジントルクを調停する。
【００８７】
たとえば、車両の運転状態に応じて、最大の、もしくは最小の静的な要求エンジントルクが決定される。また、予め定められた条件が満たされた場合には、パワートレーンドライバモデル９０００およびＥＣＴトルク制御システム９０１０のうちの特定のシステムから要求される静的な要求エンジントルクが決定される。なお、静的な要求エンジントルクを調停する方法はこれらに限らない。
【００８８】
第１調停部９１０２により決定された静的な要求エンジントルクは、パワートレーンマネージャ９１００の変換部９１０４により、動的な要求エンジントルクに変換される。これにより、静的な要求エンジントルクを定めるシステムと、動的な要求エンジントルクを定めるシステムとが混在する制御装置において、全ての要求エンジントルクを動的な要求値として取扱うことができる。そのため、静的な要求エンジントルクであっても、動的な要求エンジントルクと比較することにより、動的な要求エンジントルクおよび静的な要求エンジントルクの両方を考慮した要求エンジントルクを得ることができる。その結果、より好適な要求エンジントルクを用いて、エンジン１０００の制御精度を向上することができる。
【００８９】
図１０に示すように、エンジン制御システム９２００において動的な要求エンジントルクを静的な要求エンジントルクに変換するために用いられるエンジンモデルＣ（ｓ）を逆に用いて、第１調停部９１０２により決定された静的な要求エンジントルクが動的な要求エンジントルクに変換される。すなわちエンジンモデルＣ（ｓ）の逆モデルＣ（ｓ）-1を用いて、第１調停部９１０２により決定された静的な要求エンジントルクが動的な要求エンジントルクに変換される。
【００９０】
これにより、動的な要求エンジントルクと静的な要求エンジントルクとを、同じ対応関係に基づいて、双方向に変換することができる。そのため、一旦変換部９１０４において変換された要求エンジントルクが、後述する第２の調停部９１０６における調停の結果、エンジン１０００の制御に用いられる要求エンジントルクとして決定された場合には、エンジン制御システム９２００において、元の要求エンジントルクに精度よく戻すことができる。そのため、エンジン１０００の制御精度をより向上することができる。
【００９１】
なお、図１１に示すように、１次遅れの関数で表現されたエンジンモデルＣ（ｓ）を用いてスロットルバルブ８０１６などの機器の制御時（作動時）における遅れを静的な要求エンジントルクに加えることにより、静的な要求エンジントルクが動的な要求エンジントルクに変換するようにしてもよい。図１０に示すエンジンモデルの時定数は、エンジン回転数ＮＥおよびエンジントルクにより変化する。
【００９２】
また、図１２に示すように、２次遅れの関数で表現されたエンジンモデルＣ（ｓ）を用いるようにしてもよい。これらのエンジンモデルは、ＥＣＵ８０００に実装される際にはＺ変換される。
【００９３】
さらに、図１３に示すように、スロットルバルブ８０１６などの機器の応答性に応じて定まる制限値で静的な要求エンジントルクを制限することにより、静的な要求エンジントルクを動的な要求エンジントルクに変換するようにしてもよい。制限値は、たとえば実験およびシミュレーションなどにより予め定められる。
【００９４】
本実施の形態において、静的な要求エンジントルクを動的な要求エンジントルクに変換する変換部９１０４の数は、一つである。すなわち、静的な要求エンジントルクが一つだけ、動的な要求エンジントルクに変換される。これにより、変換される要求エンジントルクの数を削減することができる。そのため、変換部９１０４における処理の負荷を増大させずに、静的な要求エンジントルクから動的な要求エンジントルクへの変換をきめ細かく行なうことができる。そのため、最終的に得られる要求値の精度を向上することができる。
【００９５】
パワートレーンマネージャ９１００の第２調停部９１０６は、変換部９１０４において静的な要求エンジントルクから変換された動的なエンジントルク、ＶＤＩＭシステム９０２０により定められる動的な要求エンジントルクおよび制振制御システム９０３０により定められる動的な要求エンジントルクを集約する。さらに、第２調停部９１０６は、変換部９１０４、ＶＤＩＭシステム９０２０および制振制御システム９０３０から入力される複数の動的な要求エンジントルクの中から、エンジン１０００の制御に用いる動的な要求エンジントルクを決定するように、複数の動的な要求エンジントルクを調停する。
【００９６】
たとえば、車両の運転状態に応じて、最大の、もしくは最小の動的な要求エンジントルクがエンジン１０００の制御に用いる動的な要求エンジントルクとして決定される。また、予め定められた条件が満たされた場合には、変換部９１０４、ＶＤＩＭシステム９０２０および制振制御システム９０３０のうちの特定のシステムからの動的な要求エンジントルクがエンジン１０００の制御に用いる動的な要求エンジントルクとして決定される。なお、動的な要求エンジントルクを調停する方法はこれらに限らない。
【００９７】
第２調停部９１０６において、複数の制御システムにおいて定められる動的な要求エンジンを調停することによって、車両の挙動をより多方面において制御することができる
第２調停部９１０６により決定された要求エンジントルクは、エンジン制御システム９２００に入力される。すなわち、エンジン制御システム９２００を介して、要求エンジントルクがエンジン１０００に対して要求される。
【００９８】
パワートレーンマネージャ９１００、パワートレーンドライバモデル９０００、ＥＣＴトルク制御システム９０１０、ＶＤＩＭシステム９０２０、制振制御システム９０３０およびエンジン制御システム９２００は、複数のＥＣＵあるいはコンピュータに分散して実装される。
【００９９】
たとえば、パワートレーンマネージャ９１００、パワートレーンドライバモデル９０００は、共通のＥＣＵに実装され、ＥＣＴトルク制御システム９０１０、ＶＤＩＭシステム９０２０、制振制御システム９０３０およびエンジン制御システム９２００は、それぞれ別々のＥＣＵに実装される。
【０１００】
なお、パワートレーンマネージャ９１００と、パワートレーンドライバモデル９０００とを、それぞれ別々のＥＣＵに実装するようにしてもよい。その他、任意の組合せで、ＥＣＵを統合するようにしてもよい。
【０１０１】
以上のように、本実施の形態に係る制御装置によれば、パワートレーンドライバモデルおよびＥＣＴトルク制御システムにおいて静的な要求エンジントルクが定められる。ＶＤＩＭシステムおよび制振制御システムにおいて動的な要求エンジントルクが定められる。パワートレーンドライバモデルおよびＥＣＴトルク制御システムにおいて定められる静的な要求エンジントルクは、パワートレーンマネージャの第１調停部に集約される。第１調停部は、パワートレーンドライバモデルおよびＥＣＴトルク制御システムにおいて定められる静的な要求エンジントルクの中からいずれか一つの要求エンジントルクを決定するように、パワートレーンドライバモデルおよびＥＣＴトルク制御システムにおいて定められる静的な要求エンジントルクを調停する。第１調停部により決定された要求エンジントルクは、動的な要求エンジントルクに変換される。これにより、特性が異なる複数の要求エンジントルクを動的な要求エンジントルクに一元化することができる。静的な要求エンジントルクから変換された動的な要求エンジントルクは、ＶＤＩＭシステムおよび制振制御システムにより定められる動的な要求エンジントルクとともに、パワートレーンマネージャの第２調停部に集約される。第２調停部は、変換部により静的な要求エンジントルクから変換される動的な要求エンジントルク、ＶＤＩＭシステムにより定められる動的な要求エンジントルク、および制振制御システムにより定められる動的な要求エンジントルクの中からエンジンの制御に用いる動的な要求エンジントルクを決定する。すなわち、変換部により静的な要求エンジントルクから変換される動的な要求エンジントルク、ＶＤＩＭシステムにより定められる動的な要求エンジントルク、および制振制御システムにより定められる動的な要求エンジントルクが調停される。これにより、動的な要求エンジントルクおよび静的な要求エンジントルクの両方を考慮することによって、より好適な要求エンジントルクを得ることができる。エンジン制御システムは、エンジンを、第２調停部により決定された要求エンジントルクに応じて制御する。そのため、エンジンの制御精度を向上することができる。
【０１０２】
なお、動的な要求エンジントルクを静的な要求エンジントルクに変換することによって、全ての要求エンジントルクを静的な要求エンジントルクに統一してから、静的な要求エンジントルクを調停するようにしてもよい。
【０１０３】
また、要求エンジントルクの代わりに、車両に対する要求駆動力を用いるようにしてもよい。この場合、エンジン制御システム９２００は、車両の駆動力が第２調停部９１０６により決定された要求駆動力になるようにエンジン１０００を制御するようにしてもよい。すなわち、要求駆動力に後輪７０００の半径を乗じ、オートマチックトランスミッション２０００の現在のギヤ比およびデファレンシャルギヤ６０００のギヤ比で除算することにより要求駆動力から変換された要求エンジントルクを実現するようにエンジン１０００を制御するようにしてもよい。
【０１０４】
さらに、要求エンジントルクの代わりに、車両に対する要求加速度を用いるようにしてもよい。この場合、エンジン制御システム９２００は、車両の加速度が第２調停部９１０６により決定された要求加速度になるようにエンジン１０００を制御するようにしてもよい。すなわち、要求加速度に車重を乗じて算出される要求駆動力を実現するようにエンジン１０００を制御するようにしてもよい。
【０１０５】
さらに、ＶＤＩＭシステム９０２０および制振制御システム９０３０に加えて、ドライバーズサポートシステムにより動的な要求エンジントルクを定めるようにしてもよい。
【０１０６】
ドライバーズサポートシステムは、クルーズコントロールシステム、パーキングアシストシステムおよびプリクラッシュセーフティシステムなどにより、車両の挙動に応じて動的な要求エンジントルクを自動的に設定するシステムである。
【０１０７】
クルーズコントロールシステムは、ドライバにより設定された車速を維持するシステムである。パーキングアシストシステムは、運転者が設定した位置への駐車を全自動もしくは一部自動で行なうシステムである。たとえば、運転者が設定した位置へ駐車するためのステアリング操作ならびに車速制御が自動で行なわれる。プリクラッシュセーフティシステムは、車両の衝突を防止するシステムである。たとえば、車両が前方を走行する車両に接近すると、減速するように車速が制御される。
【０１０８】
ドライバーズサポートシステムは、これらの制御を行なうために必要な要求エンジントルクを、開発者により予め作成されたマップなどに基づいて自動的に設定する。
【０１０９】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１０】
【図１】車両のパワートレーンを示す概略構成図である。
【図２】オートマチックトランスミッションのプラネタリギヤユニットを示すスケルトン図である。
【図３】オートマチックトランスミッションの作動表を示す図である。
【図４】オートマチックトランスミッションの油圧回路を示す図である。
【図５】本実施の形態に係る制御装置のシステム構成を示す図である。
【図６】静的な要求エンジントルクを示す図である。
【図７】アップシフト中における静的な要求エンジントルクを示す図である。
【図８】動的な要求エンジントルクを静的な要求エンジントルクに変換するエンジンモデルＣ（ｓ）を示す図（その１）である。
【図９】動的な要求エンジントルクを静的な要求エンジントルクに変換するエンジンモデルＣ（ｓ）を示す図（その２）である。
【図１０】静的な要求エンジントルクを動的な要求エンジントルクに変換する逆モデルＣ（ｓ）-1を示す図である。
【図１１】１次遅れの関数で表現されたエンジンモデルを示す図である。
【図１２】２次遅れの関数で表現されたエンジンモデルを示す図である。
【図１３】機器の応答性に応じて定まる限界値で静的な要求エンジントルクを制限することにより得られる動的な要求エンジントルクを示す図である。
【符号の説明】
【０１１１】
１０００  エンジン、１００４  補機、２０００  オートマチックトランスミッション、２１００  トルクコンバータ、５０００  プロペラシャフト、６０００  デファレンシャルギヤ、７０００  後輪、８０００  ＥＣＵ、８００２  ＲＯＭ、８００４  シフトレバー、８００６  ポジションスイッチ、８００８  アクセルペダル、８０１０  アクセル開度センサ、８０１２  エアフローメータ、８０１６  電子スロットルバルブ、８０１８  スロットル開度センサ、８０２０  エンジン回転数センサ、８０２２  入力軸回転数センサ、８０２４  出力軸回転数センサ、８０２６  油温センサ、８０２８  水温センサ、９０００  パワートレーンドライバモデル、９０１０  ＥＣＴトルク制御システム、９０２０  ＶＤＩＭシステム、９０３０  制振制御システム、９１００  パワートレーンマネージャ、９１０２  第１調停部、９１０４  変換部、９１０６  第２調停部、９２００  エンジン制御システム。
【図１】
2010096094.tif 000003
【図２】
2010096094.tif 000004
【図３】
2010096094.tif 000005
【図４】
2010096094.tif 000006
【図５】
2010096094.tif 000007
【図６】
2010096094.tif 000008
【図７】
2010096094.tif 000009
【図８】
2010096094.tif 000010
【図９】
2010096094.tif 000011
【図１０】
2010096094.tif 000012
【図１１】
2010096094.tif 000013
【図１２】
2010096094.tif 000014
【図１３】
2010096094.tif 000015